【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
電力を変換するためのスイッチングコンバータであって、そのカップリング内に：
−強磁性コア（Ｆ）、
−前記強磁性コア（Ｆ）上の一次巻線（Ｌ１）、
−前記強磁性コア（Ｆ）上の二次巻線（Ｌ２）、
−第１の制御可能な一次スイッチ（Ｔ１）であって、前記制御可能な一次スイッチ（Ｔ１）がオン状態に設定される時、前記一次巻線（Ｌ１）を入力電力（Ｐ）に接続し、磁束の増大がさらに前記二次巻線（Ｌ２）内の二次電流（Ｉ２）を増大するように、前記コア（Ｆ）内に前記磁束を作り出すためにその電流（Ｉ１）を増大するように前記一次巻線（Ｌ１）を付勢するように一次制御パルス（Ｇ１）によって制御可能に連結される一次スイッチ（Ｔ１）、
−前記一次巻線（Ｌ１）を負荷に接続するために連結される第２の一次スイッチ（Ｄ１）を備え、
前記一次巻線（Ｌ１）が磁気エネルギを放出する時、前記一次パルス（Ｇ１）のすぐ後に、前記二次巻線（Ｌ２）が、制御されるスイッチ（Ｔ２）経由で入力電力（Ｐ）の二次パルス（Ｇ２）によって付勢されるように制御可能に連結され、
前記スイッチングコンバータを、向上した効率で動作させるために、
−前記二次巻線（Ｌ２）が、等しくない磁束が前記強磁性コア（Ｆ）内に生じるのを促進する構造によってそのように前記一次巻線（Ｌ１）からある距離に位置づけられ；および／または
−前記一次巻線（Ｌ１）および二次巻線（Ｌ２）の少なくとも１つが、前記磁束の増大を低下させる前記二次巻線（Ｌ２）の反対側の電流方向の理由で前記強磁性コア（Ｆ）の前記磁束が前記二次巻線（Ｌ２）の位置でより小さく等しくない、この種の形状または直径を有することを特徴とするスイッチングコンバータ。
【請求項２】
請求項１に記載のスイッチングコンバータであって、前記スイッチングコンバータが、第一相および第二相で電力を変換するように連結され、前記コンバータがそのカップリング内に：
−第１の制御可能な一次スイッチ（Ｔ１）であって、前記第一相で、オン状態およびオフ状態を有するように連結され、前記一次スイッチ（Ｔ１）の前記オンおよびオフ状態に対応する状態を有する一次制御パルス（Ｇ１）によって制御可能に連結され、前記スイッチ（Ｔ１）がオン状態に設定される時、前記一次巻線（Ｌ１）を入力電力（Ｐ）に接続し、前記磁束の増大がさらに前記二次巻線（Ｌ２）内の前記二次電流（Ｉ２）を増大するように、前記制御パルスの（Ｇ１）オフ状態によって、前記一次スイッチ（Ｔ１）がオフ状態に設定されるまで、前記コア（Ｆ）内に磁束を作り出すためにその電流（Ｉ１）を増大するように前記一次巻線（Ｌ１）を付勢する一次スイッチ（Ｔ１）、
−前記一次巻線（Ｌ１）を負荷に接続するために連結される第２の一次スイッチ（Ｄ１）、
−制御可能な二次スイッチ（Ｔ２）であって、オン状態およびオフ状態を有するように連結され、前記二次スイッチ（Ｔ２）の前記オンおよびオフ状態に対応する状態を有する二次制御パルス（Ｇ２）によって制御可能に連結され、前記二次スイッチ（Ｔ２）がオン状態に設定される時、前記二次巻線（Ｌ２）を入力電力（Ｐ）に接続するように連結され、前記二次巻線（Ｌ２）を付勢する、二次スイッチ（Ｔ２）を備え、
前記第二相で前記一次巻線（Ｌ１）が前記負荷に前記磁気エネルギを放出する時、前記一次パルスの（Ｇ１）状態が前記一次スイッチ（Ｔ１）のオフ状態に対応する時、前記第二相で、前記二次巻線（Ｌ２）が、直接オン状態に制御される前記二次スイッチ（Ｔ２）経由で入力電力（Ｐ）の前記二次制御パルス（Ｇ２）によって付勢されるように連結され、
前記スイッチングコンバータを向上した効率で動作させるために、前記二次巻線（Ｌ２）が、前記強磁性コア（Ｆ）内に生じる等しくない磁束をそのように供給するために前記一次巻線（Ｌ１）からある距離に位置づけられる；および／または
前記一次巻線（Ｌ１）および二次巻線（Ｌ２）の少なくとも１つが、前記磁束の増大を低下させる前記二次巻線（Ｌ２）の反対側の電流方向の理由で前記強磁性コア（Ｆ）の前記磁束が前記二次巻線（Ｌ２）の位置でより小さく等しくない、この種の形状または直径（ｄ１、ｄ２）を有することを特徴とするスイッチングコンバータ。
【請求項３】
請求項１に記載のスイッチングコンバータであって、前記二次電流（Ｉ２）に対して反対電圧を生成するために前記連結手段内に反対電圧手段を備え、前記反対電圧手段が、以下：前記二次回路のインダクタンス（Ｌ３）およびコンデンサ（Ｃ）の少なくとも１つを備えることを特徴とするスイッチングコンバータ。
【請求項４】
請求項１、２または３に記載のスイッチングコンバータであって、前記カップリング内に前記二次巻線（Ｌ２）を、入力電力（Ｐ）のパルスによって付勢されない状態に制御可能に設定する（Ｇ２）二次スイッチ（Ｔ２）を備え、前記カップリングの２次側が、前記二次コイルそれ自体の自己インダクタンスを有するインダクタンス（Ｌ２）を備え、それが前記二次電流（ｌ２）変化と比例した電圧を生成し、前記インダクタンスが更なるインダクタンスまたは前記インダクタンス（Ｌ３）を含むことを特徴とするスイッチングコンバータ。
【請求項５】
請求項１に記載のスイッチングコンバータであって、第二相で、前記二次巻線（Ｌ２）が入力電力（Ｐ）のパルスによって付勢されない状態にあるように接続される回路を備え、および前記回路において、前記二次回路が電流の方向に前記二次電流（Ｉ２）変化と比例した電圧（Ｕｓ＝ＬｓｘｄＩｓ／ｄｔ）を生成するこの種の自己インダクタンスＬｓ（Ｌ２）を含み、それが次いで、別々の入力電力の二次パルスと類似した方法で影響を与え、前記インダクタンスが、請求項３内に言及されたインダクタンスを備えることを特徴とするスイッチングコンバータ。
【請求項６】
前記二次回路のインダクタンス（Ｌ２）が、前記一次回路のインダクタンス（Ｌ１）より大きいことを特徴とする請求項１に記載のスイッチングコンバータ。
【請求項７】
前記二次巻線が、スイッチ（Ｄ２）によって前記負荷に連続的に接続され、およびそれに応じてさらに前記一次電流（Ｉ１）および二次電流（Ｉ２）の減少位相中にこれらの両方の電流が、前記負荷にエネルギを放出し、前記カップリングが任意選択で前記二次スイッチ（Ｔ２）なしで実現されることを特徴とする請求項５または６に記載のスイッチングコンバータ。
【請求項８】
前記二次巻線（Ｌ２）側が、以下：インダクタ、コンデンサ（Ｃ）の少なくとも１つである追加電圧源を含むことを特徴とする請求項１に記載のスイッチングコンバータ。
【請求項９】
前記二次巻線（Ｌ２）の内径（ｄ２）と前記コア（Ｆ）の外径との間の距離が、前記一次巻線（Ｌ１）の内径（ｄ１）と前記コアの外径との間の距離を越えることを特徴とする請求項６に記載のスイッチングコンバータ。
【請求項１０】
それが、前記二次巻線（Ｌ２）と直列にインダクタ（Ｌ３）を備え、前記インダクタ（Ｌ３）が前記コア（Ｆ）とは別々であることを特徴とする請求項４に記載のスイッチングコンバータ。
【請求項１１】
前記強磁性コア（Ｆ）が、トロイドまたは多角形のような閉形状を有することを特徴とする請求項１−１０のいずれかに記載のスイッチングコンバータ。
【請求項１２】
前記一次巻線（Ｌ１）および前記二次巻線（Ｌ２）が前記コア（Ｆ）上の分離された位置を有し、好ましくは、前記コア（Ｆ）の両側に位置づけられることを特徴とする請求項１１に記載のスイッチングコンバータ。
【請求項１３】
前記一次巻線（Ｌ１）および二次巻線（Ｌ２）の巻線が、前記二次巻線（Ｌ２）の反対側の電流方向が前記磁束の増大を低下させるようになされることを特徴とする請求項１−１２のいずれかに記載のスイッチングコンバータ。
【請求項１４】
前記一次巻線（Ｌ１）および二次巻線（Ｌ２）の巻線が、前記二次巻線（Ｌ２）の位置のより小さな磁束が、前記第二相中に前記二次巻線（Ｌ２）内により小さな反対電圧を誘発し、それゆえに前記一次電流（Ｉ１）および二次電流（Ｉ２）の低減中に前記第二相で前記二次巻線（Ｌ２）によってより少ない入力電力（Ｐ）を消費するようにされることを特徴とする請求項１−１３の一項に記載のスイッチングコンバータ。
【請求項１５】
前記コンバータが、前記強磁性コア（Ｆ）上に二次巻線（Ｌ２）を備えた二次回路を更に備え、および前記二次回路が、前記一次巻線（Ｌ１）の電流の前記減少中に前記一次巻線（Ｌ１）に前記二次巻線（Ｌ２）および／または別のエネルギ源のエネルギを伝達するように配置されることを特徴とする請求項１−１４の一項に記載のスイッチングコンバータ。
【請求項１６】
電力を変換するためのスイッチングコンバータであって：
−強磁性コア、
−前記強磁性コア上の一次巻線、
−オン状態にある時、前記一次巻線を入力電力に接続する第１の制御可能な一次スイッチ、
−前記一次巻線を負荷に接続する第２の一次スイッチを備え、
前記第１の制御可能な一次スイッチ（Ｔ１）が、前記コア内に磁束を作り出すために一次パルス（Ｇ１）中にその電流（Ｉ１）を増大することによって前記一次巻線（Ｌ１）を付勢するように一次制御パルス（Ｇ１）によって制御され、および
一次パルス（Ｇ１）の間で前記一次巻線（Ｌ１）が、前記負荷に前記磁束のエネルギを放出し、それによって前記一次巻線（Ｌ１）の電流（Ｉ１）が減少し（Ｉ１）、
前記コンバータの効率を向上させるために、前記コンバータが、前記強磁性コア（Ｆ）上に二次巻線（Ｌ２）を備えた二次回路を更に備え、および前記二次回路が、前記一次巻線（Ｌ１）の電流（Ｉ１）の前記減少中に前記一次巻線（Ｌ１）に前記二次巻線（Ｌ２）および／または別のエネルギ源のエネルギを伝達するように配置され、前記二次回路のエネルギの前記伝達が、
−前記第二相で前記二次巻線（Ｌ２）が、入力電力のパルスによって付勢されない状態にあるように接続される回路であって、および前記回路内の前記二次回路が、電流の方向に前記二次電流変化と比例した電圧（Ｕｓ＝ＬｓｘｄＩｓ／ｄｔ）を生成するこの種の自己インダクタンスＬｓ（Ｌ２）を含み、それが次いで、別々の入力電力の二次パルスと類似した方法で影響を与え、そこにおいて前記二次巻線（Ｌ２）が前記負荷にスイッチ（Ｄ２）によって連続的に接続され、およびそれに応じてさらに前記一次電流（Ｉ１）および二次電流（Ｉ２）の減少位相中にこれらの電流が、前記負荷（ＬＯＡＤ、Ｒ、Ｃ）にエネルギを放出し、前記カップリングが任意選択で前記二次スイッチ（Ｔ２）なしで実現される回路、または任意選択で
−制御可能な二次スイッチ（Ｔ２）であって、オン状態およびオフ状態を有するように連結され、前記一次二次スイッチ（Ｔ２）の前記オンおよびオフ状態に対応する状態を有する二次制御パルス（Ｇ２）によって制御可能に連結され、前記スイッチ（Ｔ２）がオン状態に設定される時、前記二次巻線（Ｌ２）を入力電力（Ｐ）に接続するように連結され、前記負荷に前記二次巻線（Ｌ２）を付勢する二次スイッチ（Ｔ２）によって配置されることを特徴とするスイッチングコンバータ。
【請求項１７】
電力を変換するための方法であって：
−第１の一次スイッチ（Ｔ１）が、第一相で入力電圧（Ｕ）のパルスを強磁性コア（Ｆ）の一次巻線に接続するように制御され（Ｇ１）、
−その後に、前記一次巻線（Ｌ１）から放出されたエネルギが、第二相で第２の一次スイッチ（Ｄ１）を介して負荷に導かれ、それによって前記一次巻線（Ｌ１）の電流が減少され、
この方法が、前記変換の効率を向上させるために、前記二次巻線（Ｌ２）および／または別のエネルギ源のエネルギが前記一次巻線（Ｌ１）の電流（Ｉ１）の前記減少中に前記一次巻線（Ｌ１）に伝達されることを特徴とする方法。
【請求項１８】
請求項１７に記載の方法であって、
−前記第二相中に第１の二次スイッチ（Ｔ２）が、前記一次巻線（Ｌ１）から前記負荷へのエネルギの放出を増大するために入力電圧（Ｕ）のパルス（Ｇ２）を前記強磁性コア（Ｆ）の二次巻線（Ｌ２）に接続するように制御され、および
−前記第一相中に前記コア（Ｆ）の前記二次巻線（Ｌ２）から放出されたエネルギが、第２の二次一次スイッチ（Ｄ１）を介して前記負荷に導かれることを特徴とする方法。
【請求項１９】
電力を変換するために連結される、請求項１−１５のいずれかに記載のスイッチングコンバータによって電力を変換する方法であって、
前記方法が：
−前記第一相で、前記コア（Ｆ）内に磁束を作り出すためにその電流（Ｉ１）を増大するように前記一次巻線（Ｌ１）を付勢する一次制御パルス（Ｇ１）によって前記第１の制御可能スイッチ（Ｔ１）を制御するステップ、
−前記一次制御パルス（Ｇ１）によって、前記制御パルス（Ｇ１）中に前記一次巻線（Ｌ１）を入力電力（Ｐ）に接続するために前記第１の制御可能な一次スイッチ（Ｔ１）をオン状態にスイッチするステップ、
−前記第二相で、前記一次パルス（Ｇ１）のすぐ後に前記二次パルス（Ｇ２）中にオン状態の前記第２の一次スイッチ（Ｔ２）経由で入力電力（Ｐ）の二次パルス（Ｇ２）によって前記二次巻線（Ｌ２）を付勢するステップ、
−前記第１の制御可能な一次スイッチ（Ｔ１）をオフ状態に設定することによって、前記一次パルス（Ｇ１）のオン状態の間に前記負荷に前記磁束の磁気エネルギを放出し、それによって前記一次巻線（Ｌ１）の電流（Ｉ１）が減少するように前記一次巻線（Ｌ１）を方向付けるステップを含むことを特徴とする方法。